(57)【要約】      （修正有）【課題】発光ランプからの紫外線を充分にカットでき、しかも、発光ランプの機能とその取り扱い性を低下することのないＵＶカットランプを提供する。【解決手段】蛍光灯本体Ａのソケットａの位置までカバーするプラスチック製の透明カバー１を設け、その透明カバー１の表面に、ＵＶカット剤を塗布する。【選択図】図２
0003164129.tif 000002
【実用新案登録請求の範囲】
【請求項１】
紫外線放射ランプの外面に紫外線の透過を阻止する組成物を内外面または片面に塗布した透明カバーを設けたＵＶカットランプ。
【請求項２】
紫外線の透過を阻止する組成物が、無機質微粒子を含有するアクリル共重合体系合成樹脂エマルジョンに紫外線吸収剤を含有させた組成物である請求項１に記載の透明カバーを設けたＵＶカットランプ。
【考案の詳細な説明】
【技術分野】
【０００１】
本考案は、紫外線をカットする蛍光ランプ、いわゆるＵＶカットランプに関する。 
【背景技術】
【０００２】
従来から、蛍光灯、水銀灯、メタルハライドランプなどの蛍光灯によって紫外線が多く放射され、この紫外線によって、多くの虫が集まることによる被害、各種商品とくにプラスチック製品、繊維製品の変色、食品とくに生食品の鮮度の低下、金属精密部品の酸化、さらには、人体に対しては眼精疲労を起こすなどの問題があることは広く知られている。
【０００３】
そのため、下記の特許文献１，２には、紫外線をカットするための組成物が提案され、とくに、下記特許文献２には、「ＵＶＧカット性ランプ」として、発光ランプのガラス面に紫外線をカットする組成物を塗布することが提案されている。
【０００４】
ところが、ランプの発光面に紫外線をカットする素材を混合させたり、また、塗布する方式では、折角完成した発光面を傷つけたり、均一性を阻害して発光特性を劣化させる恐れがあった。
【０００５】
そのため、近年では、蛍光ランプの外面に、このカバー材を設け、このカバー材の作成過程の溶融体中に、紫外線をカットする高分子材、低分子材、あるいは金属粉を配合して、ＵＶカット機能を持たせた透明プラスチック製のカバーを取り付けたものが開発されるようになった。
【０００６】
ところが、このＵＶカット機能を持たせたカバー材そのものは、ＵＶカット機能を付与させるためには、プラスチックの溶製の段階でＵＶカット材を配合しなければならず、均一透明性の維持に困難性があった。
【先行技術文献】
【特許文献】
【０００７】
【特許文献１】特許３２７４５６８号公報
【特許文献２】特開２００９−１２６８７６号公報
【考案の概要】
【考案が解決しようとする課題】
【０００８】
本考案の課題は、蛍光発光体に取り付けるための均質なＵＶカット機能を有するカバー材を簡単に得ることができ、確実にＵＶカット機能を付与したＵＶカットランプを提供することにある。
【課題を解決するための手段】
【０００９】
本考案は、紫外線放射ランプの外面に紫外線の透過を阻止する組成物を内外面または片面に塗布した透明カバーを設けたＵＶカットランプである。
【００１０】
とくに、前記特許文献１に記載のＵＶカット用の被膜形成用組成物は、その製品状態でも、また相当に希釈しても、垂直面上に塗布しても流れ落ちることがなく、均一性に優れ、その上、透明性に優れているという観点から、その被膜形成用組成物をカバー材の表面に塗布するのに都合がよい。
【００１１】
このＵＶカット用の被膜形成用組成物は、無機質微粒子を含有するアクリル共重合体系合成樹脂エマルジョンに紫外線吸収剤を含有させた組成物である。
【００１２】
とくに、無機質微粒子を含有するアクリル共重合体系合成樹脂エマルジョンは、コロイド領域の粒径の無機質微粒子の共存下にモノマー成分をエマルジョン重合することにより得たエマルジョンであること、前記紫外線吸収剤は、２８０〜４００ｎｍの中波長ないし長波長の紫外線を吸収しうる紫外線吸収剤であること、前記合成樹脂エマルジョン中の樹脂分１重量部に対する無機質微粒子および紫外線吸収剤の量は、それぞれ０．０５〜１．５重量部および０．００５〜０．８重量部である。
【００１３】
紫外線の透過を阻止する透明カバーとして、ランプの外面をほぼ密着状態に覆う形状に作成したカバーの内外面に紫外線防止剤を塗布したもの、紫外線防止剤を混合した透明プラスチックフィルムを貼着したものを使用することができる。
【００１４】
さらに、紫外線防止剤に赤、緑、青などの染料を入れて、カバー材を通しての蛍光発光体の光に種々の目的に合致した着色光とすることができる。
【考案の効果】
【００１５】
紫外線透過をカットできる紫外線防止剤を内外面あるいは外面のみに塗布したカバーを既製の蛍光灯のような紫外線放射ランプに取り付けるだけで高効率のＵＶカットランプが簡単に得られる。
【００１６】
また、本考案のＵＶカットランプは、通常の蛍光管ランプとして使用しても紫外線被害を完全に防止できる。
【００１７】
さらに、ＵＶ透過防止カバーが保護管となって蛍光管の破損防止に役に立つ。
【図面の簡単な説明】
【００１８】
【図１】本考案を通常の蛍光灯に適用した外観を示す。
【図２】断面構造によってカバーを示す。
【図３】キャップの断面構造を示す。
【考案を実施するための形態】
【００１９】
以下、本考案の実施の形態を通常の蛍光灯に適用した実施例に基づいて説明する。
【実施例】
【００２０】
図１は、本考案を通常の蛍光灯に適用したＵＶカットランプ１０の外観を示す。同図において、蛍光灯本体の外面を覆う透明カバー１とその両端にセットしたキャップ２からなる。
【００２１】
図２は、本考案に係るＵＶカットランプ１０の断面を示すもので、蛍光灯本体Ａのソケットａの位置までカバーするプラスチック製の透明カバー１を設け、その透明カバー１の両端にプラスチック製のキャップ２を取り付けたものである。
【００２２】
透明カバー１には、先の特許文献１に記載された紫外線を遮断する組成物３を内外何れかの片面、または両面に塗布して、（図示の場合は、外面のみに塗布した例を示している。）それ自体に紫外線の遮断性を持たせている。
【００２３】
片面へのＵＶカット被覆３は、刷毛塗りまたはスプレイによって行い、内外面への被覆は液状組成物のプールを形成し、どぶ漬けの要領で行うことで、均一なコーティングを得ることができる。
【００２４】
そして、このように紫外線の遮断機能を付与させた透明カバー１を蛍光灯Ａの端部ソケットａの機能を阻害しないように、キャップ２を取り付け蛍光灯の両端から強く押し込むことによって固定する。
【００２５】
図３はキャップ２の断面を示す。このキャップ２の端部２１をケース１の端部に押し押し込むことによって、ケース１の端部１１が押し付けられて、キャップ２とケース１は固定され、さらに、キャップ２のソケットａ側は、キャップ２に形成されたひだ２２によって、蛍光管Ａのソケットａは保護されるようになっている。
【００２６】
カバー１の端部に取り付けるキャップ２は、図３に示すように、ランプの差し込みに支障のない構造とすることによって、ランプの従来通りの取り付けとお取り外しに支障を生じることはない。
【００２７】
また、紫外線の遮断機能を有する組成物を被覆したカバー１の透明性は維持されており、これを、図２に示す要領で、ランプＡの外形に密着して取り付けることによってランプによる光量を低減させることない。
【産業上の利用可能性】
【００２８】
食品販売店での蛍光灯紫外線による防虫防止と商品の変褪色劣化防止効果を持った発光体とすることができる。
衣料品店での商品の変褪色劣化防止効果を有する蛍光灯とすることができる。紫外線による。
幼稚園、学校の教室内の飛散防止の蛍光灯とすることができる。
劇場などの色付きランプとすることができる。 
特定魚類の集魚灯とすることができる。 
紫外線による眼精疲労防止を可能にする学習塾などにおける蛍光灯として使用できる。
【符号の説明】
【００２９】
１０  ＵＶカットランプ
１  透明カバー    １１  端部
２  キャップ    ２１  端部    ２２  ひだ
３ ＵＶカット被覆
Ａ  蛍光灯本体    ａ  ソケット
【図１】
0003164129.tif 000003
【図２】
0003164129.tif 000004
【図３】
0003164129.tif 000005